(57)【特許請求の範囲】
【請求項１】
集塵機に排ガスを導入する集塵ダクトの下面に設けたダストシュートにおいて、ダストを排出する主配管と、該主配管の集塵ダクトとの連結部内側に配設した入口管とからなり、該入口管をメッシュ板で遮蔽するとともに、入口管の出口部分を、入口部分よりも小口径としたことを特徴とするダストシュート。
【請求項２】
主配管の下端を、水封構造としたことを特徴とする請求項１記載のダストシュート。
【発明の詳細な説明】
【技術分野】
【０００１】
本発明は、集塵機に排ガスを導入する集塵ダクトの適所に設けたダストシュートに関し、特に、集塵ダクト内からドレンを排出する機能を併せ持ったダストシュートに関するものである。
【背景技術】
【０００２】
従来、ダストシュートとしては、排ガス発生源と、集塵機とを接続する集塵ダクトの適所に配設し、通風効率が低下した場合や、一定期間経過後定期的にダクト内に堆積したダストをダクト外に排出する際の排出管として機能するほか、ダクト内面に遮蔽体を配設し、大粒径高嵩比重のダストを遮蔽体でせき止めて積極的にダストを排出するように構成されるものもあった（例えば、特許文献１参照。）。
【０００３】
しかし、これらの場合、排ガス中に含まれる水分がドレンとなり配管内に溜まることを防ぐためにダストシュートとは別にドレン抜き用配管を設ける必要があった。
【０００４】
ところで、このダストシュート１０は、図４〜５に示すように、集塵ダクトＤの下面適所に配設する上部主配管１１ａと下部主配管１１ｂからなり、下部主配管１１ｂの下端に設けた排出口を、常時は閉鎖する開閉蓋１２とから構成するようにしたものである。
【０００５】
しかして、電気炉Ｘやゴミ焼却炉等の排ガス発生源から発生する排ガスを吸引ファンＦによって集塵機Ｓ（例えばバグ式集塵機など）に導入する際に、集塵ダクトＤ内を浮遊するダストは、ダストシュート１０に落下するほか、集塵ダクトＤ内に堆積する。そして、集塵ダクトＤ内には、ダストのほか、ダストに含まれる水分がドレンとなりダクトＤ内に堆積するダストに混ざってダストが固まったり、ダクトＤ内面の腐食となる場合や、ドレンが集塵機Ｓ内に入り込んだ場合は、集塵機Ｓの下方に設けたダスト排出用のロータリバルブＲにドレンの混ざったダストが固着したり該部の腐食の原因となる問題があるため、集塵ダクトＤの適所にはドレン抜き１３が配設されている。
特に、排ガス発生源が図例のように電気炉Ｘの場合、排ガスが高温となるために水噴霧型の冷却装置Ｙを回路内に配設する必要があり、ドレンの発生量が多量になるためドレン抜きが不可欠となる。
【０００６】
しかし、このダストシュート１０には構造上ダスト以外にドレンも流れ込み、主配管１１の内面に付着したダストにドレンが吸収されて固着し、最悪の場合にはダストシュート１０が閉塞することがあり、開閉蓋１２を開放し、ダストを排出する際にダストシュート１０に衝撃を与えなければ有効にダストを排出することができないと言った問題や、ダストシュート１０とドレン抜き１３を別個に設けるために設備施工に手数を要するとともに、コスト高を招来し、保守点検作業にも多数の手数を要するという問題があった。
【特許文献１】特開平６−１０９３７７号公報
【発明の開示】
【発明が解決しようとする課題】
【０００７】
本発明は、上記従来のダストシュートの有する問題点に鑑み、ダストシュート内面にドレンによるダストの固着を防止し、ダストシュートとドレン抜きを兼用することのできるダストシュートを提供することを目的とする。
【課題を解決するための手段】
【０００８】
上記目的を達成するため、本発明のダストシュートは、集塵機に排ガスを導入する集塵ダクトの下面に設けたダストシュートにおいて、ダストを排出する主配管と、該主配管の集塵ダクトとの連結部内側に配設した入口管とからなり、該入口管をメッシュ板で遮蔽するとともに、入口管の出口部分を、入口部分よりも小口径としたことを特徴とする。
【０００９】
この場合において、主配管の下端を、水封構造とすることができる。
【発明の効果】
【００１０】
本発明のダストシュートによれば、ダストシュートとなる主配管の集塵ダクトとの連結部内側に入口管を配設し、入口管を適宜サイズのメッシュ板で遮蔽しているから、初期にダストがメッシュ板を通過して主配管内に落ちても一定のダストが堆積するとそれ以上のダストは下に落ちることなく、清掃作業時に入口管を取り除き、人手によってダストシュート内にダストを掃き入れ、通常運転時はドレンのみがメッシュ板を通過しダクト外部に排出される。この際、入口管の出口部分を、入口部分よりも小口径にしているからドレンは主配管の内面に付着することがなく、ダストシュートの主配管内面に付着したダストがドレンによって固着して、ダストシュートを閉塞させるという不具合が生じないダストシュートを提供することができる。
【００１１】
また、主配管の下端を、水封構造とするときは、主配管下端を開放し水没させておくことによって常時はドレンの排出を可能としながらも、ダストシュートから集塵ダクト内に外気を吸引することがない。
【発明を実施するための最良の形態】
【００１２】
以下、本発明のダストシュートの実施の形態を、図面に基づいて説明する。なお、従来装置と同様の構造については同一の符号、一連の符号を付し説明を省略する。
【実施例１】
【００１３】
図１〜図３に、本発明のダストシュートの第１実施例を示す。
このダストシュート１は、従来例と同様排ガス発生箇所（図例では電気炉Ｘ）から集塵機Ｓに繋がる集塵ダクトＤの適所に配設されるもので、上部主配管１１ａ、中部主配管１１ｃ、下部主配管１１ｂを連結用のフランジＦで連結してなる主配管１１と、集塵ダクトＤと連接される上部主配管１１ａ内に内設される入口管２とから構成するようにしている。なお、図例ではダストシュート１を集塵ダクトＤに対して２箇所配設する例を示したが、集塵ダクトＤの長さによって配設箇所の数が変動することは言うまでもない。
【００１４】
入口管２は、集塵ダクトＤと上部主配管１１ａとの連接箇所の空間１１ｄに集塵ダクトＤの内側から配設するもので、集塵ダクトＤの下面の形状に沿った枠部分２５（図例では集塵ダクトＤを断面が円筒状にしているので、当該円弧に沿うように湾曲させた形状とすることが好ましい。）を集塵ダクトＤの下面に引っかかるように配設し、点検清掃時に作業者が集塵ダクトＤ内に入り開閉可能となるよう構成する。
そして、入口管２は、上部を大口径部分２１とし、下部を小口径部分２２とし、傾斜部分２３によって連接する。図例の如く大口径部分２１と小口径部分２２を矩形に構成しても、また円筒形に構成して傾斜部分２３を漏斗状にして、漸次縮管するように構成しても構わない。
入口管２には、メッシュ板２４（例えば、エキスパンドメタルなど）を配設し、一定量のダストが堆積した後はドレンは流下させるもののダストの通過を阻止することができるようにする。
【００１５】
主配管１１の下端となる下部主配管１１ｂは、水封装置３のタンク３１内に水没させることが望ましい。この水封装置３は、タンク３１内に水を上限水位ＷＵと下限水位ＷＬ間になるよう充填させ負圧となる集塵ダクトＤ内にダストシュート１を介し外気が侵入することを防止する。
【００１６】
上記構成において、電気炉Ｘから発生した排ガスは、吸引ファンＦによって吸引され、その温度を一定温度まで冷却装置Ｙによって冷却される。そして、集塵ダクトＤを通過し集塵機Ｆによって濾過された後に大気に放出される。この際、排ガス内に含まれるダストの内、数％のダストは集塵機Ｆに到達することなく集塵ダクトＤ内に堆積する。また、排ガス内に含まれる水分は、集塵ダクトＤ内で凝縮しドレンとなる。このドレンは、冷却装置Ｙが水噴霧タイプの冷却機構の場合、その量は大量に発生することとなる。
【００１７】
そして、集塵ダクトＤ内に堆積するダストは、ダストシュート１の入口管２上部にも降り積もり、当初はメッシュ板２５のメッシュ孔から主配管１１に落下するものの、堆積する量が一定量を越えるとメッシュ孔を塞ぎそれ以上主配管１１内に落下することはない。一方、集塵ダクトＤ内に生じたドレンは、ダストによって塞がれた後もメッシュ孔を介し、入口管２に垂れ落ち、縮管されている入口管２の小口径部分２２から、水封装置３のタンク３１に落下する。
【００１８】
集塵ダクトＤ内に堆積するダストの量が一定量となったとき（通風効率が低下した場合や、運転時間によって定期的に行う場合を含む）電気炉Ｘの運転を停止し、集塵ダクトＤ内に作業者が入り、集塵ダクトＤ内に堆積するダストの清掃を行う。ダスト清掃は、まず、水封装置３に水没する下部主配管１１ｂと中部主配管１１ｃとを連結する連結フランジＦの連結を解除し、水封装置３とともに下部主配管１１ｂを取り去り中部主配管１１ｃの下部を開放し、排出ダスト受け（図示省略）を中部主配管１１ｃの下方に置く。ついで、入口管２を上部主配管１１ａから抜き取り、上部主配管１１ａから中部主配管１１ｃまでのダスト通過障害物をなくし、集塵ダクトＤに堆積するダストを上部主配管１１ａに掃き寄せることによって排出ダスト受けまで落下させる。
【００１９】
以上、本発明のダストシュートについて、実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明のダストシュートは、主配管上部に入口管を内設させることによって集塵ダクト内のダストを排出する機能と、集塵ダクト内からドレンを排出する機能を併せ持つという特性を有していることから、新規の設備に用いることができるほか、例えば、既設設備の改造に適用する用途にも用いることができる。
【図面の簡単な説明】
【００２１】
【図１】本発明のダストシュートを示す一部断面の正面図である。
【図２】本発明のダストシュートを示し、（ａ）は、図１のＡ−Ａ矢視図で、（ｂ）は、図１のＢ−Ｂ断面図で、（ｃ）は、図１のＣ−Ｃ断面図である。
【図３】本発明のダストシュートを用いたシステムの全体図である。
【図４】従来のダストシュートを示し、（ａ）は、一部断面の正面図で、（ｂ）は、（ａ）のＥ−Ｅ断面図である。
【図５】従来のダストシュートを用いたシステムの全体図である。
【符号の説明】
【００２２】
１    ダストシュート
１１  主配管
２    入口管
２４  メッシュ板
Ｄ    集塵ダクト
【図１】
0004537302.tif 000002
【図２】
0004537302.tif 000003
【図３】
0004537302.tif 000004
【図４】
0004537302.tif 000005
【図５】
0004537302.tif 000006